(57)【特許請求の範囲】
【請求項１】
回路に接続された負荷に電力を供給する遠隔操作可能なリレーと；
前記回路に関する情報を前記負荷の特徴に関する情報および前記リレーの配置と対応付けて表示し、前記回路の電力供給を前記リレーによって制御する操作を受け付ける表示部と；
を具備することを特徴とする分電盤。
【請求項２】
前記回路に流れる電流に関する電流情報を計測する計測部；
をさらに具備し、
前記表示部は、
前記計測部によって計測された前記電流情報を前記回路の配置と対応付けて表示する
ことを特徴とする請求項１に記載の分電盤。
【請求項３】
前記表示部は、
前記計測部によって計測された電流情報に基づく前記回路の出力状態または異常状態を当該回路の配置と対応付けて表示する
ことを特徴とする請求項２に記載の分電盤。
【請求項４】
前記表示部は、
前記負荷の位置に関する情報を前記回路の配置と対応付けて表示する
ことを特徴とする請求項２または３に記載の分電盤。
【発明の詳細な説明】
【技術分野】
【０００１】
本発明は、分電盤に関する。
【背景技術】
【０００２】
従来、スタジオや舞台等は、複数の照明機器により照明演出がなされており、各照明機器側に設定される制御アドレスを用いて、照明制御装置が各照明機器を遠隔制御する照明制御システムが導入されている。
【０００３】
このような照明制御システムでは、分電盤が、照明機器が接続される回路に対して供給する電力を制御する。ここで、このような分電盤は、複数の回路を有するので、回路に漏電などの異常が発生した場合に、どの位置の回路に問題があるのか容易に判別することが難しく、回路の管理が容易でない。
【先行技術文献】
【特許文献】
【０００４】
【特許文献１】特開２００９−１６４０９６号公報
【特許文献２】特開２００７−６６５８５号公報
【発明の概要】
【発明が解決しようとする課題】
【０００５】
本発明が解決しようとする課題は、回路の管理を容易にすることができる分電盤を提供することである。
【課題を解決するための手段】
【０００６】
実施形態に係る分電盤は、回路に電力を供給する遠隔操作可能なリレーと、前記回路に関する情報を表示し、前記回路の電力供給を前記リレーによって制御する操作を受け付ける表示部とを具備する。
【図面の簡単な説明】
【０００７】
【図１】図１は、実施形態に係る照明制御システムの構成の一例を示すブロック図である。
【図２】図２は、実施形態に係る照明機器およびバトン装置の機能構成の一例を示すブロック図である。
【図３】図３は、実施形態に係る照明制御装置の機能構成の一例を示すブロック図である。
【図４】図４は、実施形態に係るアドレス管理テーブルに格納された情報の一例を示す図である。
【図５】図５は、実施形態に係る分電盤の機能構成の一例を示すブロック図である。
【図６】図６は、実施形態に係る分電盤の外観を説明するための説明図である。
【図７】図７は、実施形態に係る回路管理テーブルに格納された情報の一例を示す図である。
【図８】図８は、実施形態に係る分電盤の表示画面の一例を示す図である。
【図９】図９は、実施形態に係る分電盤における制御処理の一例を示すフローチャートである。
【発明を実施するための形態】
【０００８】
以下で説明する実施形態に係る分電盤１００は、回路６０に電力を供給する遠隔操作可能なリレー１２５と、回路６０に関する情報を表示し、回路６０の電力供給をリレー１２５によって制御する操作を受け付ける表示部１４０とを具備する。
【０００９】
また、以下で説明する実施形態に係る分電盤１００は、回路６０に流れる電流に関する電流情報を計測するセンサ１２６（計測部の一例に相当）をさらに具備する。表示部１４０は、センサ１２６によって計測された電流情報を回路６０の配置と対応付けて表示してもよい。
【００１０】
また、以下で説明する実施形態に係る分電盤１００において、表示部１４０は、センサ１２６によって計測された電流情報に基づく回路６０の出力状態または異常状態を回路６０の配置と対応付けて表示してもよい。
【００１１】
また、以下で説明する実施形態に係る分電盤１００において、表示部１４０は、回路６０の負荷の位置に関する情報を回路６０の配置と対応付けて表示してもよい。
【００１２】
以下、図面を参照して、実施形態に係る照明制御システムを説明する。実施形態において同一の機能を有する構成には同一の符号を付し、重複する説明は省略する。なお、以下の実施形態で説明する照明制御システムは、一例を示すに過ぎず、実施形態を限定するものではない。例えば、以下の実施形態では、照明制御システムは、照明機器以外にも、任意の装置の制御にも適用することができる。なお、以下の各実施形態は、矛盾しない範囲内で適宜組みあわせてもよい。
【００１３】
［実施形態］
（実施形態に係る照明制御システムの構成）
図１は、実施形態に係る照明制御システムの構成の一例を示すブロック図である。実施形態に係る照明制御システム１は、複数の照明機器１０（１０−１〜１０−ｎ）、複数のバトン装置２０（２０−１〜２０−ｎ）、ハブ３０、照明制御装置５０、分電盤１００を有する。なお、照明制御システム１に接続される照明機器１０およびバトン装置２０の種別や数などは任意に設定できる。
【００１４】
照明制御システム１において、照明機器１０は、ＤＭＸ規格に従った通信プロトコルや、ＤＭＸ規格を拡張したＲＤＭ（Remote  Device  Management）規格に沿った通信方式により、バトン装置２０や照明制御装置５０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。なお、照明機器１０としてＤＭＸ規格やＲＤＭ規格に非対応の機器（例えば、ハロゲンランプ）が、バトン装置２０に接続されてもよい。また、照明機器１０は、照明機器１０に電力を伝達する回路６０（６０−１〜６０−ｎ）を介して分電盤１００に接続される。これにより、照明機器１０は、分電盤１００から電力が供給される。
【００１５】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００１６】
ハブ３０は、イーサネット（登録商標）等の有線または無線によるネットワークによって、照明制御装置５０と双方向通信が可能な態様で接続され、照明制御装置５０と各バトン装置２０−１〜２０−ｎとの通信を中継する中継器である。また、ハブ３０は、分電盤１００と双方向通信が可能な態様で接続され、照明制御装置５０と分電盤１００との間の通信を中継する。
【００１７】
照明制御装置５０は、オペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。そして、バトン装置２０−１〜２０−ｎは、照明制御装置５０から制御情報を受信した場合に、制御情報をＤＭＸ規格やＲＤＭ規格に沿った制御信号（例えば、調光信号等）に変換し、制御アドレスが示す照明機器１０に対して制御信号を出力することで、照明機器１０−１〜１０−ｎの制御を行う。このように、照明制御装置５０は、制御アドレスを用いて、照明機器１０−１〜１０−ｎを遠隔制御する。
【００１８】
分電盤１００は、照明機器１０に電力を伝達する複数の回路６０−１〜６０−ｎを有し、回路６０−１〜６０−ｎに接続された各照明機器１０−１〜１０−ｎに電力を供給する。例えば、分電盤１００は、入力電圧、入力電流、漏電など電源に関する機能や、出力電流、漏電など負荷に関する機能、温度など盤内の状態に関する機能、主幹ブレーカや回路ブレーカの開閉に関する機能、各種情報の表示や操作を受け付ける機能などを有する。
【００１９】
（実施形態に係る各装置の機能構成）
［照明機器およびバトン装置の構成］
続いて、図２を用いて、実施形態に係る照明機器１０およびバトン装置２０−１の機能構成の一例を説明する。図２は、実施形態に係る照明機器１０およびバトン装置２０−１の機能構成の一例を示すブロック図である。なお、以下の説明では、照明機器１０−２〜１０−ｎは、照明機器１０−１と同様の構成および機能を発揮するものとして、説明を省略する。また、バトン装置２０−２〜２０−ｎは、バトン装置２０−１と同様の構成および機能を発揮するものとして、説明を省略する。
【００２０】
まず、照明機器１０−１の構成について説明する。照明機器１０−１は、図２に示すように、回路６０−１を介して分電盤１００に接続され、電力が供給される。例えば、照明機器１０−１は、回路６０−１に対応するリレーが分電盤１００によってＯＮにされている場合に、電力が供給される。実施形態に係る照明機器１０−１は、記憶部１３、通信部１４、制御部１５、光源部１６を有する。
【００２１】
記憶部１３は、照明機器１０−１が有する不揮発性のメモリであり、ＨＤＤ（Hard  Disk  Drive）、ＳＳＤ（Solid  State  Drive）、フラッシュメモリ、ＲＡＭ（Random  Access  Memory）等の記憶装置により実現される。記憶部１３には、照明機器１０−１の照明機器情報が登録される。例えば、照明機器情報としては、製造会社名、機器型番、ＵＩＤ、ＤＭＸアドレスといった情報が含まれる。
【００２２】
ここで、製造会社名とは、照明機器１０の製造会社名である。機器型番とは、製造会社によって定められた照明機器１０の型番である。ＵＩＤとは、ＲＤＭ規格で用いられる装置ごとに固有の番号であり、各照明機器１０−１〜１０−ｎに予め付与される１２桁の１６進数で表される情報である。また、ＤＭＸアドレスとは、ＤＭＸのデータリンク上におけるアドレス、すなわち、照明制御装置５０が照明機器１０を制御する際に用いる制御アドレスである。
【００２３】
通信部１４は、照明機器１０−１と照明制御装置５０との間の通信を制御する通信装置であり、例えば、ＮＩＣ等により実現される。具体的には、通信部１４は、所定の有線コネクタを介し、ＲＤＭ規格に沿った通信方式でバトン装置２０−１との間で信号の送受信を行う有線通信機能と、無線ＬＡＮ等の無線通信網を介して、照明制御装置５０と通信を行う無線通信機能とを有する。
【００２４】
制御部１５は、各照明機器１０が有する光源の制御を行うデバイスである。例えば、照明制御装置５０は、照明機器１０−１の照明態様を制御する場合に、バトン装置２０−１を介して、照明機器１０−１に設定された制御アドレスと制御内容とを示す制御信号を照明機器１０−１に出力する。このような場合、制御部１５は、バトン装置２０−１から受信した制御信号に従って、光源部１６を制御する。
【００２５】
また、照明制御装置５０は、各照明機器１０−１〜１０−ｎの照明機器情報を収集する場合に、無線通信網を介して、各照明機器１０−１〜１０−ｎに照明機器情報の送信を要求する送信要求を送信する。このような場合、制御部１５は、通信部１４を介して送信要求を受信すると、記憶部１３から照明機器情報を読出し、無線通信網を介して、読み出した照明機器情報を照明制御装置５０に送信する。
【００２６】
光源部１６は、照明機器１０−１が有する光源であり、制御部１５の制御に従って、照度、照明する範囲、色彩等を制御可能なＬＥＤ等の半導体発光素子により実現される。なお、光源部１６は、いわゆるハロゲンランプ等であってもよい。
【００２７】
次に、バトン装置２０−１の構成について説明する。実施形態に係るバトン装置２０−１は、通信部２３および複数のポート２４−１〜２４−ｎを有する。通信部２３は、ハブ３０を介して、制御情報と制御信号との変換を行うことで、照明機器１０−１〜１０−ｎや照明制御装置５０との間の通信を中継する通信装置であり、例えば、ＮＩＣ等の通信装置によって実現される。
【００２８】
ポート２４−１〜２４−ｎは、それぞれを識別するためのポート番号「１」〜「ｎ」が付与されたポートであり、例えば、ＲＤＭ規格に従って照明機器１０−１〜１０−ｎと信号を送受信するための所定のコネクタである。
【００２９】
［照明制御装置の構成］
続いて、図３を用いて、実施形態に係る照明制御装置５０の機能構成の一例を説明する。図３は、実施形態に係る照明制御装置５０の機能構成の一例を示すブロック図である。実施形態に係る照明制御装置５０は、通信部５１、操作部５２、記憶部５３、表示部５４、制御部５５を有する。
【００３０】
通信部５１は、照明機器１０や分電盤１００との間の通信を制御する通信装置であり、例えば、ＮＩＣ等により実現される。具体的には、通信部５１は、ハブ３０及びバトン装置２０を介して、照明機器１０との間でＲＤＭ規格に沿った通信方式で情報の送受信を行う有線通信機能と、無線ＬＡＮ等の無線通信網を介して、照明機器１０との間で通信を行う無線通信機能とを有する。また、通信部５１は、回路６０に接続された照明機器１０の位置を示す制御アドレスなどの情報を分電盤１００に送信する通信を行なう。
【００３１】
操作部５２は、各照明機器１０−１〜１０−ｎに対する操作を受付ける。例えば、操作部５２は、各照明機器１０−１〜１０−ｎの照度を変更する操作を受付ける複数のフェーダを有する。なお、各フェーダには、それぞれ個別のフェーダ番号が付与されているものとする。また、操作部５２は、分電盤１００が具備するリレーをオンまたはオフにする操作を受付ける。なお、操作部５２は、タッチパネル等を利用して構成することもできる。
【００３２】
記憶部５３は、ＨＤＤ、ＳＳＤ、フラッシュメモリ、ＲＡＭ等の記憶装置により実現される。具体的には、記憶部５３は、アドレス管理テーブル５３ａを記憶する。アドレス管理テーブル５３ａには、各照明機器１０−１〜１０−ｎに関する各種の情報が登録される。この点について図４を用いて説明する。
【００３３】
図４は、実施形態に係るアドレス管理テーブル５３ａに格納される情報の一例を示す図である。図４に示すように、アドレス管理テーブル５３ａには、制御アドレスと照明機器１０に関する情報とが対応付けて登録される。
【００３４】
ここで、「制御アドレス」は、対応付けられた識別情報が示す照明機器１０を制御する際に用いられる制御アドレス、すなわちＤＭＸアドレスである。「識別情報」は、各照明機器１０−１〜１０−ｎを識別するための情報であり、例えば、ＵＩＤである。「器具情報」は、照明機器１０の種類や消費電力など機器の特徴を示す情報である。「接続状況」は、照明機器１０が接続されている回路６０に関する情報である。例えば、「接続状況」は、照明機器１０が回路６０に接続されている場合には、回路６０の配線を示す情報が記憶される。一方、「接続状況」は、照明機器１０が回路６０に接続されていない場合には、ブランクとなる。
【００３５】
例えば、図４に示す例では、制御アドレス「１１」、識別情報「ＵＩＤ１」、器具情報「スポットライト、１ｋＷ」、接続状況「６０−１」が対応付けて登録されている。この情報は、識別情報「ＵＩＤ１」が示す照明機器１０に制御アドレス「１１」が設定されている旨を示す。また、この情報は、識別情報「ＵＩＤ１」が示す照明機器１０（例えば、照明機器１０−１）が消費電力「１ｋＷ」の「スポットライト」であり、配線「６０−１」に対応する回路に接続されている旨を示す。また、図４に示す例では、制御アドレス「１３」には、照明機器１０が回路に接続されていない旨を示す。
【００３６】
図３に戻り説明を続ける。表示部５４は、各照明機器１０−１〜１０−ｎに対する操作を受付けるフェーダの情報などを表示する表示装置であり、例えば、液晶モニタやタッチパネル等により実現される。
【００３７】
制御部５５は、各照明機器１０−１〜１０−ｎを制御するデバイスである。制御部５５としては、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。制御部５５は、各種の処理手順を規定したプログラムや制御データを格納するための内部メモリを有し、これらによって種々の処理を実行する。制御部５５は、各種のプログラムが動作することにより各種の処理部として機能する。
【００３８】
例えば、制御部５５は、制御アドレスを用いて、各照明機器１０−１〜１０−ｎの制御を行う。一例としては、制御部５５は、いずれかのフェーダが操作を受付けた場合は、操作内容と、操作を受付けたフェーダのフェーダ番号と対応付けられた制御アドレスとを示す制御信号を生成し、生成した制御信号を照明機器１０に出力する。この結果、操作を受付けたフェーダと対応付けられた照明機器１０は、制御信号に従って、照明態様の制御を行う。
【００３９】
上述した照明制御装置５０は、ＣＰＵとＲＡＭ、ＥＥＰＲＯＭ、フラッシュメモリなどを有するコンピュータが、所定の記録媒体に登録された制御プログラムを読み取り、読み取った制御プログラムを実行することにより、実現されてもよい。
【００４０】
［分電盤の構成］
続いて、図５を用いて、実施形態に係る分電盤１００の機能構成の一例を説明する。図５は、実施形態に係る分電盤１００の機能構成の一例を示すブロック図である。図５に示すように、実施形態に係る分電盤１００は、通信部１１０、記憶部１２０、電源部１２２、主幹ブレーカ１２３、分岐ブレーカ１２４（１２４−１〜１２４−ｎ）、リレー１２５（１２５−１〜１２５−ｎ）、センサ１２６（１２６−１〜１２６−ｎ）、制御部１３０、表示部１４０を有する。ここで、図６を用いて、分電盤１００の機能構成の外観について説明する。図６は、実施形態に係る分電盤１００の外観を説明するための説明図である。例えば、分電盤１００は、図６に示すように、分電盤１００の扉の上部に表示部１４０が設置される。また、分電盤１００は、一例としては、筐体内部の上部に、電源部１２２と、主幹ブレーカ１２３とが設置される。また、分電盤１００は、一例としては、筐体内部の下部に、複数の分岐ブレーカ１２４と、複数のリレー１２５とが設置される。なお、図６では、図を見易くするため、一部の分岐ブレーカ１２４と一部のリレー１２５にのみ符号を付しているが、実際には同一形状の分岐ブレーカ１２４およびリレー１２５には同一の符号が付される。また、図６に示す各機能部の配置は一例に過ぎず、各機能部は任意の場所に配置されてもよい。
【００４１】
図５に戻り、通信部１１０は、照明制御装置５０との間の通信を制御する通信装置であり、例えば、ＮＩＣ等により実現される。具体的には、通信部１１０は、照明制御装置５０との間で情報の送受信を行う通信機能を有する。例えば、通信部１１０は、照明制御装置５０からリレー１２５を制御する制御信号を受信する通信を行なう。
【００４２】
記憶部１２０は、ＨＤＤ、ＳＳＤ、フラッシュメモリ、ＲＡＭ等の記憶装置により実現される。具体的には、記憶部１２０は、回路管理テーブル１２０ａを記憶する。回路管理テーブル１２０ａには、各回路６０−１〜６０−ｎに関する情報が登録される。この点について図７を用いて説明する。
【００４３】
図７は、実施形態に係る回路管理テーブル１２０ａに格納される情報の一例を示す図である。図７に示すように、回路管理テーブル１２０ａには、回路６０を識別する識別情報と回路６０の状態に関する情報とが対応付けて登録される。
【００４４】
ここで、「回路ＩＤ」は、各回路６０−１〜６０−ｎを識別する識別情報である。例えば、「回路ＩＤ」には、回路ごとに個別に割り当てられるユニークな英数字等の文字列などが記憶される。「出力状態」は、回路６０の出力に関する状態を示す情報である。例えば、「出力状態」には、センサ１２６によって計測された電流値が記憶される。「異常状態」は、回路６０の異常に関する状態を示す情報である。例えば、「異常状態」には、センサ１２６によって計測された漏電を示す情報が記憶される。一例としては、「異常状態」には、センサ１２６によって漏電が計測された場合に「１」が記憶される。一方、「異常状態」には、センサ１２６によって漏電が計測されなかった場合に「０」が記憶される。「負荷位置情報」は、回路６０に接続された負荷の位置を示す情報である。例えば、「負荷位置情報」には、回路６０に接続された照明機器１０の位置を示す制御アドレスが記憶される。一例としては、「負荷位置情報」には、照明制御装置５０から送信された照明機器１０の制御アドレスが記憶される。
【００４５】
例えば、図７に示す例では、回路ＩＤ「６０−１」、出力状態「１０」、異常状態「０」、負荷位置情報「１１」、「１２」、「１４」が対応付けて登録されている。この情報は、回路ＩＤ「６０−１」に対応する回路（例えば、回路６０−１）は、センサ１２６によって電流値「１０」が計測された旨を示す。また、この情報は、回路ＩＤ「６０−１」に対応する回路は、センサ１２６によって漏電が計測されていない旨を示す。また、この情報は、回路ＩＤ「６０−１」に対応する回路は、制御アドレス「１１」、「１２」、「１４」の位置に照明機器１０等の負荷が接続されている旨を示す。
【００４６】
図５に戻り、電源部１２２は、電力を供給する電源装置である。具体的には、電源部１２２は、各照明機器１０−１〜１０−ｎに電力を供給する。例えば、電源部１２２は、後述するリレー制御部１３１による制御に従ってリレー１２５がＯＮにされている場合に、かかるリレー１２５に対応する回路６０に接続された照明機器１０に電力を供給する。
【００４７】
主幹ブレーカ１２３は、分電盤１００が有する全ての回路６０の電力供給をまとめて制御する。また、主幹ブレーカ１２３は、全ての回路６０に流れる電流の量が所定値を超えると電力供給を遮断する。例えば、主幹ブレーカ１２３は、消費電力の増加や漏電等により、各配線を介して供給される電流の合計値が予め設定された所定の閾値を超えた場合に、電力供給を遮断する。
【００４８】
分岐ブレーカ１２４は、回路ごとに、回路６０の電力供給を制御する。また、分岐ブレーカ１２４は、各回路６０に流れる電流の量が所定値を超えると電力供給を遮断する。例えば、分岐ブレーカ１２４は、回路６０に流れる電流が予め設定された所定の閾値を超えた場合に、かかる回路６０の電力供給を遮断する。
【００４９】
リレー１２５は、後述するリレー制御部１３１による制御に従って回路の開閉を制御する。具体的には、リレー１２５は、リレー制御部１３１からリレー１２５をＯＮにする指示が出力された場合に、リレー１２５に対応する回路６０の接続を閉じて電力を供給する。これにより、リレー１２５に対応する回路６０に接続された照明機器１０は、電力が供給されて点灯する。一方、リレー１２５は、リレー制御部１３１からリレー１２５をＯＦＦにする指示が出力された場合に、リレー１２５に対応する回路６０の接続を開放して電力供給を遮断する。これにより、リレー１２５に対応する回路６０に接続された照明機器１０は、電力が供給されなくなり消灯する。
【００５０】
センサ１２６は、回路６０に流れる電流に関する電流情報を計測する。具体的には、センサ１２６は、各分岐ブレーカ１２４−１〜１２４−ｎを介して供給された電力量、すなわち、回路６０を介して供給された電力量を計測する。具体的には、センサ１２６は、各回路６０に流れる電流の電流値を測定する。例えば、センサ１２６は、後述するリレー制御部１３１による制御に従ってリレー１２５がＯＮにされた際に、センサ１２６に対応する回路６０に流れる電流の電流値を測定する。
【００５１】
一例としては、センサ１２６は、計測された電流情報に基づいて回路６０の出力状態を計測する。一態様としては、センサ１２６は、出力状態として、回路６０の電流値を計測する。他の例では、センサ１２６は、計測された電流情報に基づいて回路６０の異常状態を検出する。一態様としては、センサ１２６は、異常状態として、回路６０の漏電などを検出する。
【００５２】
制御部１３０は、各照明機器１０−１〜１０−ｎを制御するデバイスである。制御部１３０としては、ＣＰＵ、ＭＰＵ等の電子回路や、ＡＳＩＣ、ＦＰＧＡ等の集積回路を採用できる。制御部１３０は、各種の処理手順を規定したプログラムや制御データを格納するための内部メモリを有し、これらによって種々の処理を実行する。制御部１３０は、各種のプログラムが動作することにより各種の処理部として機能する。具体的には、制御部１３０は、リレー制御部１３１と、格納部１３２とを有する。
【００５３】
リレー制御部１３１は、回路６０への電力供給を制御する。具体的には、リレー制御部１３１は、照明機器１０に電力を伝達する回路６０に電力を供給する。例えば、リレー制御部１３１は、回路６０に対応するリレー１２５をＯＮにすることで、回路６０に電力を供給する。一例としては、リレー制御部１３１は、リレー１２５をＯＮにする指示をリレー１２５に出力することで、リレー１２５に対応する回路６０に電力を供給する。また、リレー制御部１３１は、回路６０に対応するリレー１２５をＯＦＦにすることで、回路６０への電力供給を中止する。例えば、リレー制御部１３１は、リレー１２５をＯＦＦにする指示をリレー１２５に出力することで、リレー１２５に対応する回路６０への電力供給を遮断する。
【００５４】
格納部１３２は、各種の情報を記憶部１２０に格納する。具体的には、格納部１３２は、センサ１２６によって計測された回路６０に流れる電流に関する電流情報を、回路管理テーブル１２０ａに格納する。例えば、格納部１３２は、センサ１２６によって計測された回路６０に流れる電流の電流値を、回路６０を識別する識別情報と対応付けて回路管理テーブル１２０ａの「出力状態」に格納する。また、格納部１３２は、センサ１２６によって異常が計測された場合に、回路管理テーブル１２０ａの「異常状態」に「１」を格納する。例えば、格納部１３２は、センサ１２６によって回路６０に漏電が計測された場合に、回路６０を識別する識別情報と対応付けて回路管理テーブル１２０ａの「異常状態」に「１」を格納する。また、格納部１３２は、回路６０に接続された照明機器１０の位置を示す情報を、回路管理テーブル１２０ａの「負荷位置情報」に格納する。例えば、格納部１３２は、照明制御装置５０によって特定された回路６０に接続された照明機器１０の制御アドレスを照明制御装置５０から受信し、回路６０を識別する識別情報と対応付けて回路管理テーブル１２０ａの「負荷位置情報」に格納する。
【００５５】
上述した制御部１３０は、ＣＰＵとＲＡＭ、ＥＥＰＲＯＭ、フラッシュメモリなどを有するコンピュータが、所定の記録媒体に登録された制御プログラムを読み取り、読み取った制御プログラムを実行することにより、実現されてもよい。
【００５６】
表示部１４０は、各種の情報を表示する。具体的には、表示部１４０は、回路６０に関する情報を表示する。より具体的には、表示部１４０は、回路管理テーブル１２０ａに記憶された回路６０に関する情報を読み出して表示する。例えば、表示部１４０は、センサ１２６によって計測された電流情報を回路６０の配置と対応付けて表示する。一例としては、表示部１４０は、センサ１２６によって計測された電流情報に基づく回路６０の出力状態または異常状態を回路６０の配置と対応付けて表示する。一態様としては、表示部１４０は、出力状態として、センサ１２６によって計測された回路６０に流れる電流の電流値を回路６０の配置と対応付けて表示する。また、表示部１４０は、異常状態として、センサ１２６によって計測された漏電などの異常を示す情報を回路６０の配置と対応付けて表示する。また、他の例では、表示部１４０は、回路６０の負荷の位置に関する情報を回路６０の配置と対応付けて表示する。一態様としては、表示部１４０は、照明制御装置５０によって特定された回路６０に接続された照明機器１０の位置を示す制御アドレスを回路６０の配置と対応付けて表示する。
【００５７】
これらの点について、図８を用いて詳細に説明する。図８は、実施形態に係る分電盤の表示画面の一例を示す図である。図８に示すように、表示部１４０は、回路６０−１〜６０−ｎに関する情報ｄ１〜ｄｎを画面上に表示する。例えば、表示部１４０は、回路ごとに、回路６０の出力状態、異常状態、負荷位置情報を対応付けて表示する。
【００５８】
図８の例では、表示部１４０は、回路６０−１の出力状態「１０」、異常状態「０」、負荷位置情報「１１、１２、１４」であることを示す情報ｄ１を表示する。言い換えると、表示部１４０は、センサ１２６によって計測された回路６０−１に流れる電流の電流値が「１０」である旨を表示する。また、表示部１４０は、センサ１２６によって回路６０−１には漏電が検出されていない旨を表示する。また、表示部１４０は、回路６０−１には、制御アドレス「１１、１２、１４」の位置に負荷として照明機器１０などが接続されている旨を表示する。
【００５９】
図８の他の例では、表示部１４０は、回路６０−３の出力状態「０」、異常状態「１」、負荷位置情報「１７」であることを示す情報ｄ３を表示する。言い換えると、表示部１４０は、センサ１２６によって計測された回路６０−３に流れる電流の電流値が「０」である旨を表示する。また、表示部１４０は、センサ１２６によって回路６０−３に漏電が検出された旨を表示する。また、表示部１４０は、回路６０−３には、制御アドレス「１７」の位置に負荷として照明機器１０などが接続されている旨を表示する。ここで、表示部１４０は、一例としては、回路６０−３に漏電が検出され異常であることを示す情報ｄ３を点滅させて表示する。ここで、表示部１４０は、漏電が検出され異常であることを示す情報ｄ３を点滅させて表示するに限らず、太字にして表示したり、他の情報と異なる色で表示したりすることで、強調表示してもよい。
【００６０】
また、表示部１４０は、回路６０の電力供給をリレー１２５によって制御する操作を受け付ける。例えば、表示部１４０は、画面上に表示された回路６０に対応するオブジェクトを選択する操作を受け付けることで、回路６０に電力を供給するリレー１２５をオンまたはオフに切り替える操作を受け付ける。一例としては、表示部１４０は、異常状態を示す回路６０に対応するオブジェクトを選択する操作を受け付けることで、回路６０に電力を供給するリレー１２５をオンからオフに切り替える操作を受け付ける。なお、表示部１４０は、例えば、液晶モニタやタッチパネル等の表示装置により実現される。
【００６１】
［実施形態に係る分電盤の処理手順］
次に、図９を用いて、実施形態に係る分電盤１００による制御処理の流れについて説明する。図９は、実施形態に係る分電盤１００における制御処理の一例を示すフローチャートである。
【００６２】
具体的には、分電盤１００は、まず、照明機器１０に電力を伝達する回路６０に関する情報を計測する（ステップＳ１０１）。例えば、分電盤１００は、回路６０に関する情報として、回路６０の出力状態や異常状態を計測する。
【００６３】
そして、分電盤１００は、計測された回路６０に関する情報を表示する（ステップＳ１０２）。例えば、分電盤１００は、回路６０に関する情報として、センサ１２６によって計測された電流情報を回路６０の配置と対応付けて表示する。一例としては、分電盤１００は、センサ１２６によって計測された電流情報に基づく回路６０の出力状態または異常状態を回路６０の配置と対応付けて表示する。一態様としては、分電盤１００は、出力状態として、センサ１２６によって計測された回路６０に流れる電流の電流値を回路６０の配置と対応付けて表示する。また、分電盤１００は、異常状態として、センサ１２６によって計測された漏電などの異常を示す情報を回路６０の配置と対応付けて表示する。また、分電盤１００は、回路６０の負荷の位置に関する情報を回路６０の配置と対応付けて表示する。一態様としては、分電盤１００は、照明制御装置５０によって特定された回路６０に接続された照明機器１０の位置を示す制御アドレスを回路６０の配置と対応付けて表示する。
【００６４】
続いて、分電盤１００は、所定の操作を受け付ける（ステップＳ１０３）。例えば、分電盤１００は、所定の操作として、画面上に表示された回路６０に対応するオブジェクトを選択する操作を受け付ける。ここで、分電盤１００は、画面上に表示された回路６０に対応するオブジェクトを選択する操作を受け付けていない場合には（ステップＳ１０３；Ｎｏ）、操作を受け付けるまで待機する。
【００６５】
そして、分電盤１００は、回路６０の電力供給をリレー１２５によって制御する（ステップＳ１０４）。例えば、分電盤１００は、画面上に表示された回路６０に対応するオブジェクトを選択する操作を受け付けた場合に（ステップＳ１０３；Ｙｅｓ）、回路６０に電力を供給するリレー１２５のオン、オフを切り替える。
【００６６】
［実施形態の効果］
上述してきたように、実施形態に係る分電盤１００によれば、回路６０に関する情報を表示することができるので、回路６０の管理を容易にすることができる。例えば、分電盤１００は、照明制御システム１の管理者による回路６０の状態管理を容易にすることができる。また、分電盤１００は、リレー１２５によって回路６０の電力供給を制御する操作を受け付けることができるので、回路６０の状況に応じて迅速に対応措置を取らせることができる。
【００６７】
また、分電盤１００は、回路に流れる電流に関する情報を回路の配置と対応付けて表示することができるので、回路の位置と電流の関係を容易に把握させることができる。このため、分電盤１００は、正常な電流が流れる回路や異常な電流が流れる回路の位置を容易に把握させることができる。また、分電盤１００は、各回路６０に流れる電流の量が許容容量に対して適切かどうかの判別を容易にすることができる。このため、分電盤１００は、例えば、回路６０に流れる電流の量が許容容量を超えている場合に、容量に余裕のある他の回路６０に照明機器１０などの負荷の吊り換えを促すことができる。
【００６８】
また、分電盤１００は、回路の出力状態または異常状態を回路の配置と対応付けて表示することができるので、回路の位置とその状態を容易に把握させることができる。このため、分電盤１００は、どの位置の回路に異常が発生しているかを管理者に容易に把握させることができるので、故障箇所の判別を容易にさせることができる。
【００６９】
また、分電盤１００は、回路の負荷の位置に関する情報を回路の配置と対応付けて表示することができるので、回路のどの位置に負荷が接続されているか容易に把握させることができる。このため、例えば、分電盤１００は、回路にトラブルが発生した場合などに迅速に対応措置を取らせることができる。
【００７０】
［実施形態の変形例］
（表示情報）
上記実施形態では、分電盤１００は、回路６０に関する情報を回路６０の配置と対応付けて表示する例を示した。ここで、分電盤１００は、回路６０に関する情報を、各種の形態で表示してもよい。
【００７１】
具体的には、分電盤１００は、回路６０の配置に限らず、リレー１２５の配置と対応付けて回路６０に関する情報を表示してもよい。より具体的には、分電盤１００は、センサ１２６によって計測された電流情報をリレー１２５の配置と対応付けて表示する。他の例では、分電盤１００は、センサ１２６によって計測された電流情報に基づく回路６０の出力状態または異常状態をリレー１２５の配置と対応付けて表示する。また、他の例では、分電盤１００は、回路６０の負荷の位置に関する情報をリレー１２５の配置と対応付けて表示する。
【００７２】
これにより、分電盤１００は、リレー１２５の配置と対応付けて回路６０に関する情報を表示することができるので、管理者のリレー制御を支援することができる。例えば、分電盤１００は、異常状態の回路６０に対応するリレー１２５を管理者に把握させることができるので、トラブル時の対応を迅速にさせることができる。
【００７３】
他の例では、分電盤１００は、回路６０に関する情報を、回路６０に対応する場所と対応付けて表示してもよい。例えば、分電盤１００は、回路６０に関する情報を、回路６０に接続された照明機器１０が設置されている場所と対応付けて表示する。一例としては、分電盤１００は、回路６０の出力状態や異常状態を、回路６０に接続された照明機器１０が設置されているステージや舞台裏、廊下などといった場所を示す情報と対応付けて表示する。
【００７４】
［その他］
上記実施形態では、分電盤１００が照明制御装置５０を介して回路６０に接続された負荷の位置情報を記憶する例を説明したが、分電盤１００は、回路６０に接続された負荷の位置を特定してもよい。言い換えると、分電盤１００単体で、回路に接続されている負荷の位置を特定してもよい。
【００７５】
また、上記実施形態では、照明制御システム１は、回路６０に接続される装置として照明機器１０を一例に説明したが、照明機器１０に限らず、可搬型の調光器などその他の各種の舞台装置が回路に接続されてもよい。
【００７６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７７】
１  照明制御システム
１０−１〜１０−ｎ  照明機器
１３  記憶部
１４  通信部
１５  制御部
１６  光源部
２０−１〜２０−ｎ  バトン装置
２３  通信部
２４−１〜２４−ｎ  ポート
３０  ハブ
５０  照明制御装置
５１  通信部
５２  操作部
５３  記憶部
５３ａ  アドレス管理テーブル
５４  表示部
５５  制御部
１００  分電盤
１１０  通信部
１２０  記憶部
１２０ａ  回路管理テーブル
１２２  電源部
１２３  主幹ブレーカ
１２４−１〜１２４−ｎ  分岐ブレーカ
１２５−１〜１２５−ｎ  リレー
１２６−１〜１２６−ｎ  センサ
１３０  制御部
１３１  リレー制御部
１３２  格納部
１４０  表示部
【図１】
0006597443.tif 000002
【図２】
0006597443.tif 000003
【図３】
0006597443.tif 000004
【図４】
0006597443.tif 000005
【図５】
0006597443.tif 000006
【図６】
0006597443.tif 000007
【図７】
0006597443.tif 000008
【図８】
0006597443.tif 000009
【図９】
0006597443.tif 000010